(57)【要約】【課題】穀物や衣類を包装ないし収納する紙箱、紙袋またはフィルム袋、虫類の侵入を防止しなければならない閉鎖空間に対する害虫、虫類の進入忌避効能を発現させる粘着シートを提供することを課題とする。【解決手段】（１）支持体の少なくとも一方の面に、ヨモギエキス含有液とドクダミエキス含有液及び定着剤を主成分とする植物エキス組成物を塗布し、片方の面に粘着剤層及び剥離シートを積層してなる虫類に対する忌避効能を有する粘着シート。（２）支持体の片方の面に、粘着剤層及び剥離シートを積層してなる粘着シートにおいて、粘着剤層中にヨモギエキス含有液とドクダミエキス含有液を主成分とする植物エキス組成物が含有されていることを特徴とする虫類に対する忌避効能を有する粘着シート。【選択図】図１
2005089443.tif 000002
【特許請求の範囲】
【請求項１】
支持体の少なくとも一方の面に、ヨモギエキス含有液とドクダミエキス含有液及び定着剤を主成分とする植物エキス組成物を塗布し、片方の面に粘着剤層及び剥離シートを積層してなる虫類に対する忌避効能を有する粘着シート。
【請求項２】
支持体の片方の面に粘着剤層及び剥離シートを積層してなる粘着シートにおいて、該粘着剤層中にヨモギエキス含有液とドクダミエキス含有液を主成分とする植物エキス組成物が含有されていることを特徴とする虫類に対する忌避効能を有する粘着シート。
【請求項３】
支持体の片方の面に剥離剤層を形成し、他方の面に粘着剤層を形成してなる粘着シートにおいて、該剥離剤層中にヨモギエキス含有液とドクダミエキス含有液を主成分とする植物エキス組成物が含有されていることを特徴とする虫類に対する忌避効能を有する粘着シート。
【請求項４】
支持体の片方の面に剥離剤層を形成し、他方の面に粘着剤層を形成してなる粘着シートにおいて、該粘着剤層中にヨモギエキス含有液とドクダミエキス含有液を主成分とする植物エキス組成物が含有されていることを特徴とする虫類に対する忌避効能を有する粘着シート。
【請求項５】
支持体の片方の面に剥離剤層を形成し、さらに該剥離剤層の支持体側に少なくとも１層の中間層を設け、他方の面に粘着剤層を形成してなる粘着シートにおいて、該中間層の少なくとも１層に植物エキス組成物及び／または目止め剤を含有されていることを特徴とする虫類に対する忌避効果を有する粘着シート。
【請求項６】
前記植物エキス組成物には、害虫に対する忌避効能の持続性を高めるための持続性向上剤が含有されていることを特徴とする請求項１〜５記載の粘着シート。
【請求項７】
持続性向上剤が、吸油量１００ｍｌ／１００ｇ（JIS  K  5101）以上の顔料である請求項６記載の粘着シート。
【請求項８】
持続性向上剤が、ケイソウ土、焼成ケイソウ土、酸化アルミニウム、炭酸マグネシウム、アルミノケイ酸マグネシウム、焼成カオリン、無定形シリカ、珪酸カルシウム、酸化マグネシウム、活性白土、ゼオライトの少なくとも１種である請求項６及び７記載の粘着シート。
【請求項９】
ヨモギエキス含有液とドクダミエキス含有液は、共に同じ抽出方法によって原料ヨモギ及び原料ドクダミから抽出された抽出原液であることを特徴とする請求項１〜５記載の粘着シート。
【請求項１０】
ヨモギエキス含有液とドクダミエキス含有液の混合比が７５：２５〜５０：５０である
請求項１〜５記載の粘着シート。
【請求項１１】
請求項１〜５に記載の植物エキス組成物に、更に緑茶エキス成分、熊笹エキス成分、朝鮮人参葉炭化エキス成分、山椒炭化エキス成分、檜地下茎エキス成分、菖蒲葉エキス成分及びびわ葉エキス成分の少なくとも一種を添加した植物エキス組成物を支持体に塗布させて成る虫類に対する忌避効能を有する粘着シート。
【請求項１２】
定着剤が、植物エキス含有液と相溶性の良い結着剤である請求項１及び１１記載の粘着シート。
【請求項１３】
定着剤が、植物エキス含有液と相溶性の良いコーティング剤、印刷インキ、帯電防止塗料である請求項１及び１２記載の粘着シート。
【請求項１４】
支持体が紙類、プラスチックフィルム又は合成紙である請求項１〜５及び１１記載の粘着シート。
【発明の詳細な説明】
【技術分野】
【０００１】
本発明は、コクゾウ、スジコナマダラメイガ、ノシメマダラメイガ等のメイガ科（Pyralidac）、ゴキブリ等の貯穀害虫、コイガのような衣料害虫、ダニのような人体害虫、蟻、ゴミ虫、蛾、羽蟻等の虫類に対する忌避効能を有する粘着シートに関するものである。
【背景技術】
【０００２】
米、麦、小麦、トウモロコシ又はこれらの粉等の穀物には、これを食い荒らす貯穀害虫がつきやすい。日本における最も典型的な貯穀害虫は、メイガ科（Pyralidac）のコクゾウ、スジコナマダラメイガ、ノシメマダラメイガの３種とゴキブリと言われている。これらの貯穀害虫は、穀物類を貯蔵する倉庫、食品加工工場、精米所、製粉工場を始め、一般家庭でもよく見られる一群である。
これらの害虫のうち、メイガ科の貯穀害虫が貯穀を食い荒らす加害時期は全て幼虫期である。従って、貯穀害虫による被害を阻止するには、いかにして幼虫の発生を抑制するかが課題となる。それには害虫に対する忌避、産卵及びその孵化を抑制することが必要となる。
【０００３】
また、衣料には、コイガやダニ類が付着しやすく、その幼虫に衣類を食い荒らされ被害を受けることは日常しばしば体験することである。
またダニは、病原菌を媒介する人体害虫であり、これが付着した衣類を着用すると人体に噛み付き、それが原因でアトピー性皮膚炎等、人体に様々の障害を惹起させる原因となることも良く知られている。
【０００４】
更に、食品自動販売機には、糖分や食品を好む体長１０ｍｍ程度以下の蟻、ゴミ虫類が、夜間になると商品ディスプレー部分（閉鎖空間）にライトが灯り、これが集蛾灯的機能を果たすことで、蛾、羽蟻をはじめ様々の虫類が集り、隙間から閉鎖空間に進入して、商品や商品見本に付着するなど衛生的にも好ましくなく、またディスプレーの外観が著しく損われると言う問題がある。
【０００５】
そこで、穀物を包装ないし収納する紙箱又はフィルム袋に貯穀害虫の進入を阻止すべく忌避剤加工が施される場合がある。衣類を包装ないし収納する紙箱又はフィルム袋についてもコイガやダニ類の付着、侵入を阻止すべく忌避剤加工が施される場合がある。（商品ディスプレー部分のような閉鎖空間に虫類の進入を防止する手だてとしては、隙間を無くする以外に今の処、未だ存在しない。）
しかし、従来から紙箱又はフィルム袋の忌避加工用に使用されている忌避剤は、その殆どが人体に触れ、或いは誤って口にした場合には有害であるものが多く、最近は、そのような有害物質の使用に制約が課せられることが多くなってきている。このようなことから、人体には無害であり、しかも優れた忌避効能を発揮し得る忌避剤の開発が待たれている。
【０００６】
本発明者は、人体には無害で、貯穀害虫、コイガのような衣料害虫、ダニ類のような人体害虫、蛾や他の虫類に対しても優れた忌避効能があり、産卵及びその孵化を抑制し得る忌避剤を開発すべく、その原料として、古くから薬草として知られているヨモギに着目し、ヨモギを利用した忌避剤の開発について検討してきた。
【０００７】
そして、本願出願人は、先にヨモギエキス含有液とドクダミエキス含有液及び定着剤を主成分とする植物エキス組成物を紙に塗布又は含浸させてなる貯穀害虫忌避用紙に関する発明につき特許出願している。（特許文献１）
【特許文献１】特開２００３−４０７２１号公報
【０００８】
上記の特許文献１の発明は、ヨモギエキス含有液とドクダミエキス含有液及び定着剤を主成分とする植物エキス組成物を紙の全面に塗布又は含浸させてなる貯穀害虫忌避用紙を内容とするものであるが、本発明者等は、穀物や衣類を包装ないし収納する紙箱又はフィルム袋に該植物エキス組成物を塗布又は含浸させたものでなくとも、これらの紙箱又はフィルム袋に害虫忌避効能を発現させ得る方法はないか、更に蛾や虫類の進入を防止しなければならない閉鎖空間（例：自動販売機のディスプレー部分、ショーウィンドー内、商品陳列ケース内等々）に意匠性を失わず、虫の進入忌避効能を発現させ得る方法はないか、との観点から種々検討を重ねた結果、紙箱やフィルム袋の外装に或いは閉鎖空間内に貼付するディスプレー用ステッカー等に貼付する粘着ラベル、粘着テープ、粘着シールに該植物エキス組成物を塗布又は含有させることによって害虫忌避効能を発現させることに着目し、本発明を完成したものである。
【発明の開示】
【発明が解決しようとする課題】
【０００９】
本発明は、穀物や衣類を包装ないし収納する紙箱又はフィルム袋、虫類の侵入を防止しなければならない閉鎖空間に対する害虫・虫類の進入忌避効能を発現させ得る粘着シートを提供することを課題とする。
【課題を解決するための手段】
【００１０】
本発明は、次の発明を包含する。
（１）支持体の少なくとも一方の面に、ヨモギエキス含有液とドクダミエキス含有液及び定着剤を主成分とする植物エキス組成物を塗布し、片方の面に粘着剤層及び剥離シートを積層してなる虫類に対する忌避効能を有する粘着シート。
【００１１】
（２）支持体の片方の面に粘着剤層及び剥離シートを積層してなる粘着シートにおいて、該粘着剤層中にヨモギエキス含有液とドクダミエキス含有液を主成分とする植物エキス組成物が含有されていることを特徴とする虫類に対する忌避効能を有する粘着シート。
【００１２】
（３）支持体の片方の面に剥離剤層を形成し、他方の面に粘着剤層を形成してなる粘着シートにおいて、該剥離剤層中にヨモギエキス含有液とドクダミエキス含有液を主成分とする植物エキス組成物が含有されていることを特徴とする虫類に対する忌避効能を有する粘着シート。
【００１３】
（４）支持体の片方の面に剥離剤層を形成し、他方の面に粘着剤層を形成してなる粘着シートにおいて、該粘着剤層中にヨモギエキス含有液とドクダミエキス含有液を主成分とする植物エキス組成物が含有されていることを特徴とする虫類に対する忌避効能を有する粘着シート。
【００１４】
（５）支持体の片方の面に剥離剤層を形成し、さらに該剥離剤層の支持体側に少なくとも１層の中間層を設け、他方の面に粘着剤層を形成してなる粘着シートにおいて、該中間層の少なくとも１層に植物エキス組成物及び／または目止め剤を含有されていることを特徴とする虫類に対する忌避効果を有する粘着シート。
【００１５】
（６）前記植物エキス組成物には、害虫に対する忌避効能の持続性を高めるための持続性向上剤が含有されていることを特徴とする請求項１〜５記載の粘着シート。
【００１６】
（７）持続性向上剤が、吸油量１００ml／１００ｇ（JIS K 5101）以上の顔料である請求項６記載の粘着シート。
【００１７】
（８）持続性向上剤が、ケイソウ土、焼成ケイソウ土、酸化アルミニウム、炭酸マグネシウム、アルミノケイ酸マグネシウム、焼成カオリン、無定形シリカ、珪酸カルシウム、酸化マグネシウム、活性白土、ゼオライトの少なくとも１種である請求項６及び７記載の粘着シート。
【００１８】
（９）ヨモギエキス含有液とドクダミエキス含有液は、共に同じ抽出方法によって原料ヨモギ及び原料ドクダミから抽出された抽出原液であることを特徴とする請求項１〜５記載の粘着シート。
【００１９】
（１０）ヨモギエキス含有液とドクダミエキス含有液の混合比が７５：２５〜５０：５０である請求項１〜５に記載の粘着シート。
【００２０】
（１１）請求項１〜５に記載の植物エキス組成物に、更に緑茶エキス成分、熊笹エキス成分、朝鮮人参葉炭化エキス成分、山椒炭化エキス成分、檜地下茎エキス成分、菖蒲葉エキス成分及びびわ葉エキス成分の少なくとも一種を添加した植物エキス組成物を支持体に塗布させてなる虫類に対する忌避効能を有する粘着シート。
【００２１】
（１２）定着剤が、植物エキス含有液と相溶性の良い結着剤である請求項１及び１２記載の粘着シート。
【００２２】
（１３）定着剤が、植物エキス含有液と相溶性の良いコーティング剤、印刷インキ、帯電防止塗料である請求項１及び１１記載の粘着シート。
【００２３】
（１４）支持体が、紙類、プラスチックフィルム又は合成紙である請求項１〜５及び１１記載の粘着シート。
【発明の効果】
【００２４】
ヨモギエキス抽出液とドクダミエキス抽出液を混合したもの、又はヨモギエキス抽出液とドクダミエキス抽出液及び定着剤を主成分とする植物エキス組成物に、更に緑茶エキス成分、熊笹エキス成分、朝鮮人参葉炭化エキス成分、山椒炭化エキス成分、檜地下茎エキス成分、菖蒲葉エキス成分、びわ葉エキス成分の少なくとも一種を併用した植物エキス組成物、あるいはこの植物エキス組成物に、更に虫類に対する忌避効果の持続性を高めるための持続性高揚材兼ブロッキング防止材を添加した植物エキス組成物を粘着シートの表面、粘着剤層又は剥離剤層中に塗布又は含有させることにより、人体には無害で、貯穀害虫、衣料害虫、人体害虫に対し優れた忌避効果、産卵及びその孵化を抑制し得る忌避用粘着シートが得られる。
【発明を実施するための最良の形態】
【００２５】
本発明者は、前記課題を解決するために鋭意検討した結果、ヨモギエキス含有液にドクダミエキス含有液を混合することが極めて効果的であること、ヨモギエキス含有液、ドクダミエキス含有液及び定着剤を主成分とする植物エキス組成物に、更に緑茶エキス成分、熊笹エキス成分、朝鮮人参葉炭化エキス成分、山椒炭化エキス成分、檜地下茎エキス成分、菖蒲葉エキス成分、びわ葉エキス成分の少なくとも一種を添加した植物エキス組成物がより効果的であること、更に、当該植物エキス組成物に比表面積の大きい顔料等を添加すると忌避効果の持続性を更に高められることを見出すと共に、この知見を基にこれらの植物エキス組成物を粘着シートの表面、中間層、粘着剤層又は剥離剤層中に塗布又は含有させるとにより害虫・虫類に対する忌避効能を有する粘着シートを発明したものである。
【００２６】
因みに、ヨモギエキス含有液にドクダミエキス含有液を混合する場合、及びヨモギエキス含有液とドクダミエキス含有液及び定着剤を主成分とする植物エキス組成物に、更に緑茶エキス成分、熊笹エキス成分、朝鮮人参葉炭化エキス成分、山椒炭化エキス成分、檜地下茎エキス成分、菖蒲葉エキス成分、びわ葉エキス成分の少なくとも一種を添加する場合に、なぜヨモギのエキス成分含有液単独又はドクダミのエキス成分含有液単独の忌避効果に比較して遥かに優れた相乗的忌避効能、産卵及びその孵化抑制効果が発揮されるかの理由については、必ずしも明らかではない。
【００２７】
本発明で用いられるヨモギエキス含有液は、キク科の多年草で、苦ヨモギ、アルテミシア・アブロタム、クソニンジン（バカニンジン）、アルテミシア・マノマラ、カワラニンジン（ニンジン）、カワラヨモギ（ネズミヨモギ、カトリグサ）、セメンシナ、オトコヨモギ、ヨモギナ、オオヨモギ（ヤマヨモギ、エゾヨモギ）、ミブヨモギ、ヨモギ（カズザキヨモギ、モチグサ）、ハマヨモギ等の抽出液に含まれるエキス成分を含有する液である。
【００２８】
ドクダミは、生薬「ジュウヤク」の基原植物として知られている。ドクダミは、デカノイル、アセトアルデヒドとラウリンアルデヒド等を含有し、黴の防止、ハクセン菌、タムシ、水虫、ブドウ球菌、利尿作用、毛細血管の強化作用等の効果があるとされ、生葉からエキスを絞ったものを利用したり、生葉を揉んだりして患部に塗ったり、貼ったり、又は、煎じて飲んだりして利用してきており、その効能には、更に害虫忌避作用もあるとされている。本発明で使用するドクダミエキス含有液は、このようなドクダミの抽出液中に含まれるエキス成分を含有する液である。
【００２９】
ヨモギエキス含有液及びドクダミエキス含有液としては、ヨモギ及びドクダミを一般的に行われている抽出方法で抽出して得られる抽出原液をそのまま使用することができる。
抽出方法としては、ヨモギ及びドクダミを別々にその乾燥重量の２〜８重量倍の水（精製水が好適である）に、約５時間〜１０日程度、好ましくは約６０時間〜１８０時間、浸して抽出する方法がある。
抽出温度は、１０〜９０℃程度、好ましくは１５〜４０℃程度の常温で自然抽出するのが好適である。即ち、典型的には、自然乾燥させたヨモギ及びドクダミを別々に３〜５kgを常温にて精製水１０〜１０リットルに約１２０時間浸し、自然抽出する。なお、抽出法に関しては、例えば熱水抽出法、アルコール抽出法、水蒸気蒸留法、ソックスレー抽出器を用いる抽出法で抽出してもよい。
【００３０】
上記のヨモギ及びドクダミからエキス成分を抽出する場合、植物の全草を用いてもよいが、花、茎、根、葉、種子、果実、樹皮等、各植物において特に忌避作用の強い成分を多く含有する部位が明らかである場合は、その部位を選択して用いることが好ましい。また、植物をそのまま抽出してもよく、細切、乾燥、粉砕等の処理を行ってから抽出操作を行ってもよい。なお、緑茶エキス成分、熊笹エキス成分、朝鮮人参葉炭化エキス成分、山椒炭化エキス成分、檜地下茎エキス成分、菖蒲葉エキス成分、びわ葉エキス成分も一般的に知られている抽出方法により得られる抽出原液をそのまま使用することができる。
【００３１】
本発明で使用する、ヨモギエキス含有液とドクダミエキス含有液としては、上記した種々の抽出方法によって得られる抽出液（原液）同士を任意に混合して使用することができる。むろん、該抽出液を濃縮して得られる固体状或いは液体状のエキス分を水に再溶解してエキス含有液を調整して使用することもできる。
本発明者の実験によれば、同じ抽出方法で得た抽出原液同士を混合する場合は、ヨモギ抽出原液（ヨモギエキス含有液）とドクダミ抽出原液（ドクダミエキス含有液）の重量比が７５：２５〜５０：５０となるように混合することが好ましいことが判明している。
【００３２】
しかし、抽出方法が異なっている抽出原液同士でも、両抽出原液を混合使用するだけで各単独使用の場合に比較してより強い効果が得られることは判明しているので、本発明は、各種の抽出方法によって得られるヨモギ抽出原液とドクダミ抽出原液を任意に組み合わせて使用している植物エキス組成物を包含するものである。
【００３３】
本発明で使用する植物エキス組成物は、例えば、同じ抽出方法によって得られているヨモギ抽出原液とドクダミ抽出原液の重量比が７５：２５〜５０：５０となるように混合し、これに定着剤として、植物エキス組成物との相溶性の良い結着剤（例えば、ポリビニルアルコール、アクリル系樹脂接着剤、スチレン・ブタジエン共重合ラテックス、エチレン酢酸ビニル共重合体、ポリ塩化ビニル共重合体、ポリエステル樹脂等）を配合する方法、植物エキス含有液との相溶性の良いコーティング剤、印刷インキ、帯電防止塗料等を配合する方法（この場合は、コーティング剤、印刷インキ、帯電防止塗料等が植物エキス含有液の定着剤となる）、或いは上記ヨモギ抽出原液（４０〜６０質量％）、ドクダミ抽出原液（２０〜３５質量％）及び定着剤を主成分とする植物エキス組成物に、更に緑茶エキス抽出原液、熊笹エキス抽出原液、朝鮮人参葉炭化エキス抽出原液、山椒炭化エキス抽出原液、檜地下茎エキス抽出原液、菖蒲葉エキス抽出原液、びわ葉エキス抽出原液の少なくとも一種を配合する方法、或いはこれらの植物エキス組成物に忌避効能の持続性を高めるための持続性向上剤を添加し、全体が１００（質量％）になるように調整する方法を採ることもできる。また、この植物エキス組成物に必要に応じて、増粘剤、塗れ向上剤、消泡剤、ブロッキング防止剤、滑剤、希釈剤等を添加しても良い。
【００３４】
因みに、持続性向上剤としては、比表面積の大きい顔料が好ましく、吸油量が１００ml／１００g（ＪＩＳ Ｋ ５１０１）以上の多孔性顔料が好適である。具体的な顔料としては、焼成カオリン、無定形シリカ、酸化アルミニウム、珪酸カルシウム、酸化マグネシウム、活性白土、ゼオライト等を挙げることができ、なかでも無定形シリカは比表面積が大きく特に好ましい。
【００３５】
このような顔料を添加することで植物エキス組成物が顔料に吸着し、その結果、忌避効能の持続性が向上することになる。又前記のような顔料を添加すると、塗工層のブロッキング防止の効果をも付与することが可能となる。
【００３６】
持続性向上剤の植物エキス組成物への適性添加量は、粘着シートの透明性保持の必要性、或いは使用する顔料の種類によっても異なるため特定することはできないが、透明性を保持した粘着シートを得ることを前提に無定形シリカを使用する場合は、植物エキス組成物１００部に対して無定形シリカ０．０１部〜１．００部、好ましくは０．０３部〜０．５０部、より好ましくは０．０８部〜０．２０部である。因みに、０．０１部未満では、目的とする持続性向上剤としての効果が十分でない場合が多くなるし、また１．００部を超える量を添加すると、透明性が保持できなくなってしまう。一方、透明性を保持する必要がない粘着シートを得る場合は、持続性向上剤としての機能が発揮し得る範囲で適性量を決定すれば良い。
【００３７】
このように調整した植物エキス組成物は、粘着シートを構成する際に塗布又は含有させることになるが、その具体的な構成を記載すると、（１）粘着シートの基材となる支持体の少なくとも一方の面に、該植物エキス組成物を塗布し、片方の面に粘着剤層及び剥離シートを積層して粘着シートとする。（２）粘着シートの基材となる支持体の片方の面に、粘着剤層及び剥離シートを積層してなる粘着シートにおいて、該粘着剤層中に該植物エキス組成物を含有させて粘着シートとする。（３）粘着シートの基材となる支持体の片方の面に剥離剤層を形成し、他方の面に粘着剤層を形成してなる粘着シートにおいて、該剥離剤層中に該植物エキス組成物を含有させて粘着シートとする。（４）粘着シートの基材となる支持体の片方の面に剥離剤層を形成し、他方の面に粘着剤層を形成してなる粘着シートにおいて、該粘着剤層中に該植物エキス組成物を含有させて粘着シートとする。
（５）粘着シートの基材となる支持体の片方の面に剥離剤層を形成し、さらに該剥離剤層の支持体側に少なくとも１層の中間層を設け、他方の面に粘着剤層を形成してなる粘着シートにおいて、該中間層の少なくとも１層に植物エキス組成物及び／または目止め剤を含有させて粘着シートとする。
（６）粘着シートの基材となる支持体の片方の面に剥離剤層を形成し、他方の面に粘着剤層を形成してなる粘着シートにおいて、該剥離剤層中に植物エキス組成物、剥離剤、及び／または目止め剤を含有させて粘着シートとする。
（７）粘着シートの基材となる支持体の片方の面に剥離剤層を形成し、さらに該剥離剤層の支持体側に２層以上の中間層を設け、他方の面に粘着剤層を形成してなる粘着シートにおいて、該中間層の下層が植物エキス組成物を含有し、かつ該上層が目止め剤を含有する粘着シートとする。
さらに、植物エキス組成物は、印刷インキに含有させるのが好ましい。
等の方法がある。
前記の（３）〜（７）の粘着シートには、ライナーレスラベルおよびテープのような剥離シート不要の粘着シートが例示される。
【００３８】
中でも、前記（４）の構成は、最も多量の塗布が可能な点で好ましい。
また、前記（５）の構成は、粘着剤や剥離剤にブレンドしないので、粘着力など品質に影響しない点で好ましい。さらに、前記（６）の構成は、最上層に植物エキス組成物を塗布できるので効果が得やすく、剥離剤、目止め剤、植物エキス組成物を1工程で塗布できる点で好ましい。
さらにまた、前記（７）の構成は、植物エキス組成物を単独で塗布するので、粘着剤、剥離剤、目止め剤などの材料の選択が自由にできる点で好ましい。
【００３９】
目止め剤としては、従来公知の剥離紙等の目止め剤を用いることができる。例えば、顔料、ポリエチレン樹脂、ポリプロピレン樹脂、ポリビニルアルコール、ラテックス等が挙げられる。中でも、ポリエチレン樹脂、ポリビニルアルコールが、加工適性、耐溶剤性、製造コストの点で好ましい。特に、ポリビニルアルコールは、植物エキス組成物が水／アルコール系なので、該組成物を内填させる場合、混合しやすい点で好ましい。
また、意匠性を付与するために印刷を施してもよく、作業性の面から剥離剤層を設ける前に印刷するのが好ましい。
【００４０】
その他、中間層に用いる植物エキス組成物以外のものとしては、定着剤、コーティング剤、帯電防止塗料、顔料、持続剤等が挙げられる。
【００４１】
粘着シートを構成する支持体としては、例えば、紙類、ポリエチレンフィルム、ポリプロピレンフィルム、ポリスチレンフィルム、ポリエステルフィルム、エチレン・酢酸ビニル共重合体フィルム、ナイロンフィルム、合成紙等が対象となる。
なお、支持体に透明性のシートを使用するとディスプレー用ステッカー等に貼付する透明性粘着ラベルとして好適となる。
なお該植物エキス組成物を粘着剤層中に含有させた前記（２）、（４）の粘着シートを構成する場合は、その支持体としてガス透過性の支持体（紙類、ガス透過性フィルム）を採用すれば、忌避成分は粘着剤層から揮発するだけでなく、該支持体からも透過・揮発して、その効果を発現することが出来る。
【００４２】
前記の植物エキス組成物を支持体に塗布する方法としては、グラビアコーター、バーコーター、リップコーター、ダイコーターを始め、各種コーター等の塗布装置を使用することができる。
塗布量は、植物エキス組成物の原液をそのまま使用する場合と、水で希釈して使用する場合とでは異なるが、原液をそのまま塗布する場合は、０．５ｍｌ／ｍ２〜４０ｍｌ／ｍ２であり、好ましくは１．０ｍｌ／ｍ２〜３０ｍｌ／ｍ２、より好ましくは２．０ｍｌ／ｍ２〜２０ｍｌ／ｍ２である。因みに０．５ｍｌ／ｍ２未満に相当するような塗布量では忌避効果が十分でない場合が多くなるし、また４０ｍｌ／ｍ２を超える塗布量に相当する量としても、塗布量を増やした分に見合った効果の向上は期待できない場合が多い。
【００４３】
そして植物エキス組成物を含有した粘着剤の塗布装置としては、ロールコーター、ナイフコーター、バーコーター、ダイコーター、コンマコーター、リップコーター、リバースグラビアコーター等が適宜使用される。そして粘着剤の塗布量は、乾燥重量で５〜５０ｇ／ｍ２程度の範囲、好ましくは１０〜４０ｇ／ｍ２で調節される。因みに、５ｇ／ｍ２未満では、得られる粘着シートの接着シートの接着性能が不十分となり、一方、５０ｇ／ｍ２を超えると、粘着シートの貼り合わせ時に粘着剤がはみ出したり、剥離時に凝集破壊の原因となるおそれがある。
【００４４】
また、剥離剤の塗布装置としては、バーコーター、ダイレクトグラビアコーター、オフセットグラビアコーター、エアーナイフコーター、多段ロールコーター等が適宜使用される。
また、印刷方法としては、グラビア印刷、オフセット印刷、フレキソ印刷等が適宜使用される。中でも、網点印刷が可能であるので、グラビア印刷が好ましい。
又、基材として使用するフィルムが二軸延伸フィルムの場合は、縦方向に延伸したシートに該組成物を塗布後、横方向に延伸する一般的にインラインコート方式と呼ばれる方式も採用できる。そして、剥離剤の塗被量は、乾燥重量で０．０５〜３ｇ／ｍ２程度で調節される。
【００４５】
粘着シートを構成する為に用いられる粘着剤は、構成成分としては特に限定されるものではなく、ゴム系、アクリル系、ビニルエーテル系、ウレタン系、シリコーン系など公知のものが対象となるが、特にアクリル系プレモノマー、もしくはアクリル系モノマーなどを主成分とするアクリル系樹脂が透明性、耐候性の点から好ましく、粘着剤の形態としては、エマルジョン型、溶剤型、無溶剤型およびホットメルト型の粘着剤等が使用でき、また、粘着剤の種類としては、汎用性粘着剤、再剥離性粘着剤、ラベル用粘着剤など公知の粘着剤が使用可能であるが、植物エキス組成物が水／アルコール系であることから混合したときの馴染み易さからはエマルジョン型の粘着剤が好ましい。
【００４６】
アクリル系樹脂としては、特に限定されず、アクリル基を含有するビニルモノマー、エポキシ基を有するビニルモノマー、アルコキシルを有するビニルモノマー、エチレンオキシド基を有するビニルモノマー、アミノ基を有するビニルモノマー、アミド基を有するビニルモノマー、ハロゲン原子を有するビニルモノマー、リン酸基を有するビニルモノマー、スルホン酸基を有するビニルモノマー、シラン基を有するビニルモノマー、フェニル基を有するビニルモノマー、べンジル基を有するビニルモノマー、テトラヒドロフルフリル基を有するビニルモノマー、その他の共重合可能なモノマー等の含有するものが挙げられる。上記アクリル系樹脂は,塊状重合法、溶液重合法、縣濁重合法、ならびに水に不溶又は難溶性の単量体を乳化剤と共に分散化させ水溶性重合開始剤を用いて重合を行う乳化重合法等任意の方法で重合される。中でも乳化重合法で得られた粘着剤は架橋剤なしでも高凝集が得られること、また、省エネルギーで、環境にやさしいことからも好ましい。
【００４７】
これらアクリル系樹脂の粘着物性向上のため、各種添加剤例えばロジン等の天然樹脂、変性ロジン、ロジン及び変性ロジンの誘導体、ポリテルペン系樹脂、テルペン変性体、脂肪族系炭化水素樹脂、シクロペンタジエン系樹脂、芳香族系石油樹脂、フェノール系樹脂、アルキル−フェノール−アセチレン系樹脂、クマロン−インデン樹脂、ビニルトルエン−α−メチルスチレン共重合体をはじめとする粘着付与剤、老化防止剤、安定剤、オイル等の軟化剤、充填剤、安定剤等を必要に応じて添加できる。これらは、必要に応じて２種類以上を併用して使用することもできる。また、耐候性をあげるために粘着剤層にベンゾフェノン系あるいはベンゾトリアゾール系等の有機系紫外線吸収剤を添加しても良い。
【００４８】
而して、上記の粘着剤層中に該植物エキス組成物を含有させるには、エマルジョン型の粘着剤に該植物エキス組成物を混合することになるが、該植物エキス組成物の混合量は、植物エキス組成物の原液をそのまま使用する場合と、水で希釈して使用する場合とでは異なるが、原液をそのまま使用する場合は粘着剤１００質量部に対し３〜２０質量部、好ましくは５〜１０質量部である。
因みに、粘着剤層中における該植物エキス組成物の含有量が、３質量部より少なくなると、害虫に対する忌避効能が不十分となり、一方、２０質量部を越えると、それに見合うだけの効果は期待出来ないからである。
【００４９】
次いで、剥離剤としては、フッ素樹脂、シリコーン樹脂等が挙げられ、フィルムに乾燥重量で０．０５〜３ｇ／ｍ２程度になるように塗布し、熱硬化や電離放射線硬化等によって剥離剤層を設けたものが適宜使用される。
【００５０】
而して、上記の剥離剤層中に植物エキス組成物を含有させるには、例えば、エマルジョン型シリコーン剥離剤を使用すれば両者は容易に混合することが出来るので好ましい。また、溶剤系シリコーン剥離剤を使用する場合は、両者は相溶性がないため、剥離剤と植物エキス組成物を少量の乳化剤の存在下で強制的に分散微細化させた状態でフィルムに塗布する。尚、混合する材質によっては、一概には相溶性のみで判断されない場合もある。この方法を採ることでフィルム上に両組成物が海島構造に分布した剥離層を形成することができる。
【００５１】
剥離剤に対する植物エキス組成物の混合量は、植物エキス組成物の原液をそのまま使用する場合と、水で希釈して使用する場合とでは異なるが、原液をそのまま使用する場合は剥離剤１００質量部に対し１０〜６０質量部、好ましくは３０〜５０質量部である。
因みに、剥離剤層中における植物エキス組成物の含有量が、１０質量部より少なくなると、忌避成分の揮発量との関係で害虫に対する忌避効能が不十分となり、一方、６０質量部を越えると、それに見合うだけの効果は期待出来ないからである。
【００５２】
斯くして得られる粘着シートは、紙箱やフィルム袋等の被着体に貼付する粘着ラベル、粘着テープ或いは粘着シールとして加工することも出来るが、印刷を施した別の粘着シートの印刷面上に貼り合わせ、これを閉鎖空間（例：自動販売機のディスプレー部分、ショーウィンドー内等々）内にディスプレー用ステッカーとして貼り付けることにより、揮発した忌避成分が閉鎖空間内に充満し蛾や虫類の進入を防止することができる。また閉鎖空間内に進入し内部で産卵しても卵の孵化を抑制することができる。
【００５３】
粘着剤層中に該植物エキス組成物を含有させた粘着シートは、その支持体にガス透過性のフィルムを使用した場合は前記した効果が得られ、ガス透過性でないフィルムを使用した場合でも、貼付する対象が紙箱のような場合は、紙箱の外部に貼付しても粘着剤層から揮発する忌避成分は、容易に紙層を通して空気中及び閉鎖空間にも拡散し、虫類に対する忌避効能及び卵の孵化抑制効果を十分に発現することができる。そしてこの粘着シートを閉鎖空間内に貼付すれば虫類の進入を防止でき、閉鎖空間内に進入し内部で産卵しても卵の孵化抑制効果を十分に発現することができる。
【００５４】
剥離剤層中に該植物エキス組成物を含有させた粘着シートは、被着体に貼付すれば、剥離剤層から忌避成分が揮発・拡散して、虫類に対する忌避効能を十分に発現することができる。また、この粘着シートを閉鎖空間内に貼付すれば虫類の進入を防止でき、閉鎖空間内に進入し内部で産卵しても卵の孵化抑制効果を十分に発現することができる。
【実施例】
【００５５】
以下、実施例に基づいて説明する。
（ヨモギ、ドクダミ、緑茶、熊笹、朝鮮人参葉、びわ葉、各エキスの抽出）
各実施例及び比較例で使用したヨモギ抽出原液及びドクダミ抽出原液は、乾燥ヨモギ及び乾燥ドクダミを別々に１０倍の水（２０℃）に浸漬し、５日間かけて自然抽出して抽出原液を得、該抽出原液をそのまま使用した。同じ方法で緑茶、熊笹、朝鮮人参葉、びわ葉の各エキス含有成分についても、それぞれの抽出原液を得てそれらをエキス含有成分としてそのまま使用した。
【００５６】
［効果の評価方法］
（貯穀害虫「スジコナマダラメイガ」についての忌避評価設備）
縦５１cm×横４３cm×高さ２２cmの試験容器の中央に、２５cm×２２cmの分離仕切り板を設置して２つの試験区Ａ及びＢとスジコナマダラメイガ５０頭を放つ試験区Ｃが設けられており、容器の上部全体には供試虫が逃亡できないきように透明ペット板で覆った容器を準備する（図１参照）。
【００５７】
（貯穀害虫「スジコナマダラメイガ」についての忌避評価方法）
前記設備における一方の試験区Ａには、植物エキス組成物を塗布又は含有させた縦１５ｃｍ×横１５ｃｍの粘着シート片（植物エキス組成物を粘着剤中に含有させた粘着シートは、同寸法の段ボールに貼付した状態にして）を置き、他方の試験区Ｂには、植物エキス組成物を塗布又は含有させていない縦１５ｃｍ×横１５ｃｍの粘着シート片（同寸法の段ボールに貼付した状態にして）を置く。次いで容器内の試験区Ｃに、スジコナマダラメイガ５０頭を放ち、３０分、６０分、１２０分後の試験区Ａ、Ｂ及びＣ内にいるスジコナマダラメイガの頭数を数え忌避データとする。
【００５８】
（貯穀害虫「スジコナマダラメイガ卵」の孵化抑制効果を評価する試験器）
直径９cm、高さ２cmの透明、孔あき蓋付きシャーレを準備する（図２参照）。
【００５９】
（貯穀害虫「スジコナマダラメイガ卵」の孵化抑制の評価方法）
実施例の粘着シート、及び比較例の粘着シートを直径６ｃｍの円盤状の大きさに切り抜き、同寸法の段ボールに貼付した状態のものを、段ボール面を上向きにして蓋付きシャーレに入れる。各段ボール面に、産卵後２４時間以内のスジコナマダラメイガの卵を筆で５０個を付着させた後、温度２５±２℃、湿度５０〜６０％ＲＨ、１４時間照明の環境下で７日間保管する。実体顕微鏡を用いて孵化卵数をカウントし、スジコナマダラメイガ卵の孵化率を算出する。
【００６０】
（衣料害虫「コイガ卵」の孵化抑制効果を評価する試験器）
直径１２cm、高さ１０cmの透明、通気性蓋付ポリ製カップ中に、直径９cm、高さ２cmの樹脂製透明シャーレを置いた評価試験器を準備する。（図３参照）。
【００６１】
（衣料害虫「コイガ卵」の孵化抑制の評価方法）
実施例の忌避性粘着シート、及び比較例の粘着シートをそれぞれ直径６cmの円盤状の大きさに切り抜き、同寸法の段ボールに貼付した状態のものを、段ボール面を上向きにして蓋付きシャーレに入れる。各段ボール面に、産卵後２４時間以内のコイガの卵１００個を並べ、これを温度２５±１℃、湿度６０±５％R.Hの昆虫実験室に、１４時間明期、１０時間暗期のサイクル条件下で７日間保管した後、実体顕微鏡を用いて孵化卵数をカウントし、コイガ卵の孵化率を算出する。
【００６２】
（人体害虫「ダニ」についての忌避評価設備）
植物エキス組成物を塗布した忌避用粘着シート片と無処理粘着シート片をそれぞれ一辺３cm正方に切り、各粘着シート片の上にダニ用餌を置き、直径９cm、高さ２cmの透明、通気可能な蓋付きプラスチック製シャーレの中心部より約１cm離して２枚並べる。
並べた２枚のサンプルの上に接触するように黒色の紙（幅１cm、長さ２cm）を乗せ、その上にコナヒョウヒダニ（幼、成ダニ３０頭）を放飼し、ダニが「忌避剤を塗布した粘着シート片」及び「無処理粘着シート片」を自由に選択できるように設置する。
試験容器の底部にダニ逃亡防止及び水分補給のために水道水約２００ｍｌを入れ、底にシャーレをかぶせて敷き、その上にダニを放飼した上記のシャーレを設置した（図４参照）。
【００６３】
（人体害虫「ダニ」についての忌避評価方法）
幼、成ダニを放飼した時点から３日後に植物エキス組成物を塗布した粘着シート片上、無処理粘着シート片上、及びシャーレに潜伏するコナヒョウヒダニを実体顕微鏡を用いてカウントし、忌避データとする。
【００６４】
（忌避効果の持続性評価装置）
貯穀害虫「スジコナマダラメイガ」についての忌避評価設備を使用する。
【００６５】
（忌避効果の持続性評価方法）
虫類忌避用粘着シートを作成した時点から、１ヶ月経過毎に持続性評価装置を使用して貯穀害虫「スジコナマダラメイガ」に対する忌避効果を調べ、効果がほぼ半減するまでの期間をもって持続性評価とする。
【００６６】
実施例１
ヨモギ抽出原液とドクダミ抽出原液を６０：４０（質量部）の比率で混合した。この混合液１００質量部に対して固形分３０％の水系アクリル共重合体接着剤（三井化学（株）製 商品名「ケミパールＳ−３００」）１０質量部を混合して植物エキス組成物とした。
この植物エキス組成物をグラビアコーターで厚さ２５μｍのガス透過性フィルムに５ｍｌ／ｍ2塗布・乾燥した。
次いで、シリコーン処理されたフィルム系の剥離ライナーに、エマルジョン重合したアクリル系粘着剤（日本カーバイド工業（株）製：商品名「ＴＳ−１８７３」）塗液を乾燥重量で２０ｇ／ｍ２となるようにコンマコーターで塗布、９０℃で１分間乾燥させた後、前記のフィルムと接合し虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避（侵入阻止）効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００６７】
実施例２
実施例１で使用した植物エキス組成物とエマルジョン重合したアクリル系粘着剤（日本カーバイド工業（株）製：商品名「ＴＳ−１８７３」）を１０：９０（質量部）の比率で混合して植物エキス組成物含有粘着剤を調製した。この植物エキス組成物含有粘着剤をシリコーン処理されたフィルム系の剥離ライナーに、乾燥重量で２０ｇ／ｍ２となるようにコンマコーターで塗布、９０℃で１分間乾燥させた後、厚さ２５μｍのガス透過性フィルムと接合し虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避（侵入阻止）効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００６８】
実施例３
実施例１で使用した植物エキス組成物とエマルジョン型シリコーン剥離剤（旭化成ワッカーシリコーン（株）製：商品名「ＤＥＨＥＳＩＶＥ／Ｖ２０」）を４０：６０（質量部）の比率で混合して植物エキス組成物含有剥離剤を調製した。この植物エキス組成物含有剥離剤をバーコーターで厚さ２５μｍの二軸延伸ポリプロピレンフィルムに乾燥重量で１ｇ／ｍ2となるように塗布・乾燥した。
次いで、上記フィルムの反対の面に、エマルジョン重合したアクリル系粘着剤（日本カーバイド工業（株）製：商品名「ＴＳ−１８７３」）塗液を乾燥重量で２０ｇ／ｍ２となるようにコンマコーターで塗布、９０℃で１分間乾燥させて虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避（侵入阻止）効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００６９】
実施例４
シリコーン処理された厚さ２５μｍのガス透過性フィルムの反対面に、実施例１で使用した植物エキス組成物とエマルジョン重合した再剥離性粘着剤（日本合成ゴム（株）製：商品名「ＯＪ３００」）を１０：９０（質量部）の比率で混合して植物エキス組成物含有粘着剤を乾燥重量で２０ｇ／ｍ２となるようにコンマコーターで塗布、９０℃で１分間乾燥させ虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避（侵入阻止）効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００７０】
実施例５
ヨモギ抽出原液とドクダミ抽出原液を５０：５０（質量部）の比率で混合した。この混合液１００質量部に対して固形分３０％の水系アクリル共重合体接着剤（三井化学（株）製 、商品名「ケミパールＳ−３００」）１０質量部を混合して植物エキス組成物とした。
この植物エキス組成物をグラビアコーターで厚さ２５μｍの透明性フィルムに５ｍｌ／ｍ2塗布・乾燥した以外は実施例１と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００７１】
実施例６
実施例５と同じ植物エキス組成物を使用した以外は実施例２と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避（侵入阻止）効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００７２】
実施例７
実施例５と同じ植物エキス組成物を使用した以外は実施例３と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避（侵入阻止）効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００７３】
実施例８
実施例５と同じ植物エキス組成物を使用した以外は実施例４と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避（侵入阻止）効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００７４】
実施例９
ヨモギ抽出原液とドクダミ抽出原液を６０：４０（質量部）の比率で混合した。この混合液１００質量部に対して固形分３０％の水系アクリル共重合体接着剤（三井化学（株）製、商品名「ケミパールＳ−３００」）１０質量部及びコロイダルシリカ（富士シリシア化学（株）製 、商品名「サイリシア」）０．１質量部を混合して植物エキス組成物とした。
この植物エキス組成物をグラビアコーターで厚さ２５μｍの透明性フィルムに５ｍｌ／m2塗布・乾燥した以外は実施例１と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避（侵入阻止）効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００７５】
実施例１０
実施例９と同じ植物エキス組成物を使用した以外は実施例２と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避（侵入阻止）効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００７６】
実施例１１
実施例９と同じ植物エキス組成物を使用した以外は実施例３と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避（侵入阻止）効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００７７】
実施例１２
実施例９と同じ植物エキス組成物を使用した以外は実施例４と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避（侵入阻止）効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００７８】
実施例１３
ヨモギ抽出原液とドクダミ抽出原液を５０：５０（質量部）の比率で混合した。この混合液１００質量部に対して固形分３０％の水系アクリル共重合体接着剤（三井化学（株）製、商品名「ケミパールＳ−３００」）１０質量部及びコロイダルシリカ（富士シリシア化学（株）製、商品名「サイリシア」）０．１質量部を混合して植物エキス組成物とした。
この植物エキス組成物をグラビアコーターで厚さ２５μｍの透明性フィルムに５ｍｌ／ｍ2塗布・乾燥した以外は実施例１と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００７９】
実施例１４
実施例１３と同じ植物エキス組成物を使用した以外は実施例２と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００８０】
実施例１５
実施例１３と同じ植物エキス組成物を使用した以外は実施例３と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００８１】
実施例１６
実施例１３と同じ植物エキス組成物を使用した以外は実施例４と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００８２】
実施例1７
ヨモギ抽出原液とドクダミ抽出原液を、６０：４０（質量部）の比率で混合した。この混合液８５質量部に、更に緑茶抽出原液５質量部、熊笹抽出原液５質量部、朝鮮人参葉炭化抽出原液５質量部を混合した。この混合液１００質量部に対して固形分３８％の水系アクリル樹脂接着剤（三洋化成工業（株）製、商品名「アクリジョンＦ−３６」）１０質量部及びコロイダルシリカ（富士シリシア化学（株）製、商品名「サイリシア」）０．１質量部を混合して植物エキス組成物とした。
この植物エキス組成物をグラビアコーターで厚さ２５μｍの透明性フィルムに５ｍｌ／m2塗布・乾燥した以外は実施例１と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００８３】
実施例1８
実施例１７と同じ植物エキス組成物を使用した以外は実施例２と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００８４】
実施例1９
実施例１７と同じ植物エキス組成物を使用した以外は実施例３と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００８５】
実施例２０
実施例１７と同じ植物エキス組成物を使用した以外は実施例４と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００８６】
実施例２１
実施例１で使用した植物エキス組成物と固形分１２％のＰＶＡ溶液を２／３０（質量部）の比率で混合し、この混合液を７３ｇ／ｍ２のクラフト伸張紙に、液質量で３２ｇ／ｍ２となるようにバーコーターで塗布し、９０℃で１分間乾燥して植物エキス組成物含有した中間層を形成した。中間層面に乾燥質量で１ｇ／ｍ２となるようにシリコーンを塗布し、更に反対面に、ゴム系粘着剤を乾燥質量で４０ｇ／ｍ２となるようにコンマコーターで塗布し、９０℃で１分間乾燥させた後、巻取り、スリットし、虫類に対する忌避用粘着テープを作製した。
【００８７】
実施例２２
ヨモギ抽出原液とドクダミ抽出原液を、６０：４０（質量部）の比率で混合した。この混合液９５質量部に、更にＰＶＡ５質量部を混合して植物エキス組成物とした。この植物エキス組成物を７３ｇ／ｍ２のクラフト伸張紙に、液質量で２ｇ／ｍ２となるように、グラビヤコーターで塗布し、植物エキス組成物面に押し出しラミネートにより厚み２０μのポリエチレン樹脂層を形成し、該ポリエチレン樹脂面に、乾燥質量で１ｇ／ｍ２となるようにシリコーンを塗布、更に反対面に、ゴム系粘着剤を乾燥質量で４０ｇ／ｍ２となるように、コンマコーターで塗布し、９０℃で１分間乾燥させた後、巻取り、スリットし、虫類に対する忌避用粘着テープを作製した。
【００８８】
実施例２３
ＰＶＡとシリコーンを、７０：３０（質量部）の比率で混合して、２０％水溶液とした。更にこの混合溶液と実施例１で使用した植物エキス組成物を、１５：３の比率で混合して植物エキス組成物含剥離剤を調整した。この植物エキス組成物含有剥離剤を７３ｇ／ｍ２のクラフト伸張紙に塗布し、反対面に、ゴム系粘着剤を乾燥乾燥重量で４０ｇ／ｍ２となるように、コンマコーターで塗布し、９０℃で１分間乾燥させた後、巻取り、スリットし、虫類に対する忌避用粘着テープを作製した。
【００８９】
実施例２４
実施例１で使用した植物エキス組成物とエマルジョン重合したアクリル系粘着剤（日本カーバイド工業（株）製：商品名「ＴＳ−１８７３」）を１０：９０（質量部）の比率で混合して植物エキス組成物含有粘着剤を調製した。この植物エキス組成物含有粘着剤をシリコーン処理された７３ｇ／ｍ２のクラフト紙の反対面に、乾燥重量で４０ｇ／ｍ２となるように、コンマコーターで塗布し、９０℃で１分間乾燥させた後、巻取り、スリットし、虫類に対する忌避用粘着テープを作製した。
この虫類に対する忌避用粘着テープについて、貯穀害虫「スジコナマダラメイガ」に対する忌避効果及び忌避持続効果は図１の装置で、人体害虫「ダニ」に対する忌避（侵入阻止）効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００９０】
比較例１
ヨモギ抽出原液１００質量部に対して固形分３０％の水系アクリル共重合体接着剤（三井化学（株）製、商品名「ケミパールＳ−３００」）１０質量部を混合して植物エキス組成物とした。
この植物エキス組成物をグラビアコーターで厚さ２５μｍの透明性フィルムに５ｍｌ／m2塗布・乾燥した以外は実施例１と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００９１】
比較例２
比較例１と同じ植物エキス組成物を使用した以外は実施例２と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００９２】
比較例３
比較例１と同じ植物エキス組成物を使用した以外は実施例３と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００９３】
比較例４
比較例１と同じ植物エキス組成物を使用した以外は実施例４と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００９４】
比較例５
ドクダミ抽出原液１００質量部に対して固形分３０％の水系アクリル共重合体接着剤（三井化学（株）製、商品名「ケミパールＳ−３００」）１０質量部を混合して植物エキス組成物とした。
この植物エキス組成物をグラビアコーターで厚さ２５μｍの透明性フィルムに５ｍｌ／m2塗布・乾燥した以外は実施例１と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００９５】
比較例６
比較例５と同じ植物エキス組成物を使用した以外は実施例２と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００９６】
比較例７
比較例５と同じ植物エキス組成物を使用した以外は実施例３と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００９７】
比較例８
比較例５と同じ植物エキス組成物を使用した以外は実施例４と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００９８】
比較例９
ヨモギ抽出原液６０質量部と緑茶抽出原液４０質量部を混合した。
この混合液１００質量部に対して固形分３８％の水系アクリル樹脂接着剤（三洋化成工業（株）製、商品名「アクリジョンＦ−3６」）１０質量部を混合して植物エキス組成物とした。
この植物エキス組成物をグラビアコーターで厚さ２５μｍの透明性フィルムに５ｍｌ／m2塗布・乾燥した以外は実施例１と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【００９９】
比較例１０
比較例９と同じ植物エキス組成物を使用した以外は実施例２と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【０１００】
比較例１１
比較例９と同じ植物エキス組成物を使用した以外は実施例３と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【０１０１】
比較例１２
比較例９と同じ植物エキス組成物を使用した以外は実施例４と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【０１０２】
比較例1３
ヨモギ抽出原液８５質量部に、更に緑茶抽出原液５質量部、熊笹抽出原液５質量部、朝鮮人参葉炭化抽出原液５重量部を混合した。この混合液１００質量部に対して固形分３８％の水系アクリル樹脂接着剤（三洋化成工業（株）製、商品名「アクリジョンＦ−3６」）１０質量部を混合して植物エキス組成物とした。
この植物エキス組成物をグラビアコーターで厚さ２５μｍの透明性フィルムに５ｍｌ／m2塗布・乾燥した以外は実施例１と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【０１０３】
比較例1４
比較例１３と同じ植物エキス組成物を使用した以外は実施例２と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【０１０４】
比較例1５
比較例１３と同じ植物エキス組成物を使用した以外は実施例３と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【０１０５】
比較例1６
比較例１３と同じ植物エキス組成物を使用した以外は実施例４と同様にして虫類に対する忌避用粘着シートを作製した。
この虫類に対する忌避用粘着シートついて、貯穀害虫「スジコナマダラメイガ」に対する忌避効果及び忌避持続効果は図１の装置で、人体害虫「ダニ」に対する忌避効果は図４の装置でそれぞれ試験し評価した。貯穀害虫「スジコナマダラメイガ卵」の孵化抑制効果は図２の試験器で、衣料害虫「コイガ卵」の孵化抑制効果は図３の試験器でそれぞれ試験し評価した。貯穀害虫「スジコナマダラメイガ」についての忌避効果、忌避持続効果及び孵化抑制効果についての評価結果は表１に、衣料害虫「コイガ卵」の孵化抑制効果についての評価結果は表２に、人体害虫「ダニ」に対する忌避効果についての評価結果は表３に示す通りであった。
【０１０６】
（ゴキブリに対する忌避効能）
実施例１、２、３、４、１７及び比較例１、２、３、４に記載の粘着シートについて、ゴキブリに対する忌避効果を図１の装置を使用して評価した。この場合の評価方法は、試験区Ｃにゴキブリ３０頭を放ち、３０分、６０分、１２０分後の試験区Ａ、Ｂ及びＣ内にいるゴキブリの頭数を数え忌避データとした。評価の結果は、表４に示す通りであった。
【０１０７】
【表１】
2005089443.tif 000003
【０１０８】
【表２】
2005089443.tif 000004
【０１０９】
【表３】
2005089443.tif 000005
【０１１０】
【表４】
2005089443.tif 000006
【産業上の利用可能性】
【０１１１】
本発明の粘着シートは、穀物や衣類を包装ないし収納する紙箱、紙袋又はフィルム袋、虫類の侵入を防止しなければならない閉鎖空間（例：自動販売機のディスプレー部分、ショーウィンドー内、商品陳列ケース内等々）に貼付することにより、害虫・虫類の進入忌避効能を発現させ、被害を未然に防ぐのに有効に利用することができる。
【図面の簡単な説明】
【０１１２】
【図１】前記した実施例及び比較例の虫類に対する忌避用粘着シートについて、貯穀害虫メイガ及びゴキブリに対する忌避効果を評価するために使用する評価装置を示す平面説明図。
【図２】前記した実施例及び比較例の虫類に対する忌避用粘着シートについて、貯穀害虫メイガ産卵の孵化抑制効果を評価するために使用するシャーレ試験器の説明図。
【図３】前記した実施例及び比較例の虫類に対する忌避用粘着シートについて、衣料害虫コイガ卵の孵化抑制効果を評価する試験機を示す側面説明図。
【図４】前記した実施例及び比較例の虫類に対する忌避用粘着シートについて、人体害虫ダニの忌避効果を評価するこめに使用する試験設備を示す説明図。
【符号の説明】
【０１１３】
１  忌避効果評価装置
２  分離仕切り板
３  試験区Ａ
４  試験区Ｂ
５  試験区Ｃ
６  供試虫（スジコナマダラメイガ）
７  シャーレ試験器
８  蓋
９  試験フィルム片
10  スジコナマダラメイガの卵
【図１】
2005089443.tif 000007
【図２】
2005089443.tif 000008
【図３】
2005089443.tif 000009
【図４】
2005089443.tif 000010